(57)【要約】  【課題】  非球面レンズを効果的に使用することにより、大口径で歪曲収差が小さく光学性能の良好な画角１１０度程度の固体撮像素子用広角レンズを提供する。  【解決手段】  物体側から順に、負の前群ＧｒＦと、開口絞りＳＴと、正の後群ＧｒＲとから成る広角レンズであって、前群ＧｒＦが像面側に凹面を向けた負の第１レンズＬ１を最も物体側に含み、第１レンズＬ１の少なくとも１面が非球面であり、条件式：1＜FNO＜2(FNO：Ｆナンバー)，100＜2ω(2ω：全画角(度))，-30＜Dmax(Dmax：歪曲収差の最大値(％))を満足する。【選択図】      図１
2006243092.tif 000002
【特許請求の範囲】
【請求項１】
物体側から順に、負の前群と、開口絞りと、正の後群とから成る広角レンズであって、前記前群が像面側に凹面を向けた負の第１レンズを最も物体側に含み、前記第１レンズの少なくとも１面が非球面であり、以下の条件式(1)〜(3)を満足することを特徴とする広角レンズ；
1＜FNO＜2  …(1)
100＜2ω  …(2)
-30＜Dmax  …(3)
ただし、
FNO：Ｆナンバー、
2ω：全画角(度)、
Dmax：歪曲収差の最大値(％)、
である。
【請求項２】
以下の条件式(4)を満足することを特徴とする請求項１記載の広角レンズ；
-0.6＜f／f1＜-0.1  …(4)
ただし、
f：全系の焦点距離、
f1：第１レンズの焦点距離、
である。
【請求項３】
前記後群が、物体側から順に、正レンズと、正レンズと負レンズの貼り合わせレンズと、で構成されることを特徴とする請求項１又は２記載の広角レンズ。
【請求項４】
前記前群が少なくとも１枚の正レンズを含むことを特徴とする請求項１〜３のいずれか１項に記載の広角レンズ。
【請求項５】
全てのレンズがガラスレンズであることを特徴とする請求項１〜４のいずれか１項に記載の広角レンズ。
【請求項６】
固体撮像素子に像を形成するための撮像レンズであることを特徴とする請求項１〜５のいずれか１項に記載の広角レンズ。
【発明の詳細な説明】
【技術分野】
【０００１】
本発明は小型の広角レンズに関するものであり、例えば、監視カメラ，ＴＶ電話用カメラ，ドアホーン用カメラ，車載カメラ等として用いられるデジタル入力機器(デジタルスチルカメラ，デジタルビデオカメラ等)に適した、大口径・高性能の固体撮像素子用広角レンズに関するものである。
【背景技術】
【０００２】
監視カメラ等に利用される固体撮像素子用の広角レンズは、従来より数多く提案されてきている。一般にそれらの広角レンズでは、歪曲収差を大きくすることにより全画角を大きくしているため、広い範囲を撮像することはできても、得られる画像は大きく歪んでしまう。したがって、実用上十分な画像認識を行うには歪曲収差を小さくすることが必要となる。また、監視カメラ用の広角レンズは、室内で使用されることが多いため大口径であることも望まれる。特許文献１，２には、こういった要望に対応することを目的とした広角レンズが提案されている。
【特許文献１】特開平９−８０３０３号公報
【特許文献２】特開平１１−６４７２７号公報
【発明の開示】
【発明が解決しようとする課題】
【０００３】
しかし、特許文献１，２で提案されている広角レンズは、歪曲収差の補正が不十分であり、光学性能と画角と明るさとのバランスが実際の使用に適したものとは言えない。
【０００４】
本発明はこのような状況に鑑みてなされたものであって、その目的は、非球面レンズを効果的に使用することにより、大口径で歪曲収差が小さく光学性能の良好な画角１１０度程度の固体撮像素子用広角レンズを提供することにある。
【課題を解決するための手段】
【０００５】
上記目的を達成するために、第１の発明の広角レンズは、物体側から順に、負の前群と、開口絞りと、正の後群とから成る広角レンズであって、前記前群が像面側に凹面を向けた負の第１レンズを最も物体側に含み、前記第１レンズの少なくとも１面が非球面であり、以下の条件式(1)〜(3)を満足することを特徴とする。
1＜FNO＜2  …(1)
100＜2ω  …(2)
-30＜Dmax  …(3)
ただし、
FNO：Ｆナンバー、
2ω：全画角(度)、
Dmax：歪曲収差の最大値(％)、
である。
【０００６】
第２の発明の広角レンズは、上記第１の発明において、以下の条件式(4)を満足することを特徴とする。
-0.6＜f／f1＜-0.1  …(4)
ただし、
f：全系の焦点距離、
f1：第１レンズの焦点距離、
である。
【０００７】
第３の発明の広角レンズは、上記第１又は第２の発明において、前記後群が、物体側から順に、正レンズと、正レンズと負レンズの貼り合わせレンズと、で構成されることを特徴とする。
【０００８】
第４の発明の広角レンズは、上記第１〜第３のいずれか１つの発明において、前記前群が少なくとも１枚の正レンズを含むことを特徴とする。
【０００９】
第５の発明の広角レンズは、上記第１〜第４のいずれか１つの発明において、全てのレンズがガラスレンズであることを特徴とする。
【００１０】
第６の発明の広角レンズは、上記第１〜第５のいずれか１つの発明において、固体撮像素子に像を形成するための撮像レンズであることを特徴とする。
【発明の効果】
【００１１】
本発明によれば、非球面レンズを効果的に使用する構成になっているため、大口径で歪曲収差が小さく光学性能の良好な画角１１０度程度の固体撮像素子用広角レンズを実現することができる。そして、本発明に係る広角レンズを監視カメラ，ＴＶ電話用カメラ，ドアホーン用カメラ，車載カメラ等として用いられるデジタル入力機器(デジタルスチルカメラ，デジタルビデオカメラ等)に撮像レンズとして用いれば、当該デジタル入力機器の広角化，高性能化，高機能化，低コスト化及びコンパクト化に寄与することができる。
【発明を実施するための最良の形態】
【００１２】
以下、本発明に係る広角レンズの実施の形態を、図面を参照しつつ説明する。図１，図２に、第１，第２の実施の形態のレンズ構成をそれぞれ光学断面で示す。各実施の形態の広角レンズはいずれも、固体撮像素子(例えばＣＣＤ：Charge Coupled Device)に対して光学像を形成する撮像用(例えばデジタルカメラ用)の単焦点広角レンズである。そして、物体側から順に、負の前群ＧｒＦと、開口絞りＳＴと、正の後群ＧｒＲとから成っており、その像面側には光学的ローパスフィルター等に相当する平行平面板状のガラスフィルターＧＦが配置されている。なお、各レンズ構成図(図１，図２)中、ri(i=1,2,3,...)が付された面は物体側から数えてi番目の面(riに*印が付された面は非球面)であり、di(i=1,2,3,...)が付された軸上面間隔は物体側から数えてi番目の軸上面間隔である。
【００１３】
第１の実施の形態(図１)において、前群ＧｒＦと後群ＧｒＲは以下のように構成されている。前群ＧｒＦは、物体側から順に、両凹形状の負の第１レンズＬ１と、像面側に凸面を向けた正メニスカス形状の第２レンズＬ２と、から成っている。後群ＧｒＲは、物体側から順に、像面側に凸面を向けた正メニスカス形状の第３レンズＬ３と、両凸形状の正の第４レンズＬ４と、物体側に凹面を向けた負メニスカス形状の第５レンズＬ５と、から成っており、第４レンズＬ４と第５レンズＬ５とで正の貼り合わせレンズＧｒＤを構成している。また、第１レンズＬ１の両面と第３レンズＬ３の両面は、非球面で構成されている。
【００１４】
第２の実施の形態(図２)において、前群ＧｒＦと後群ＧｒＲは以下のように構成されている。前群ＧｒＦは、物体側から順に、像面側に凹面を向けた負メニスカス形状の第１レンズＬ１と、物体側に凸面を向けた正メニスカス形状の第２レンズＬ２と、像面側に凹面を向けた負メニスカス形状の第３レンズＬ３と、から成っており、第２レンズＬ２と第３レンズＬ３とで負の貼り合わせレンズを構成している。後群ＧｒＲは、物体側から順に、両凸形状の正の第４レンズＬ４と、両凸形状の正の第５レンズＬ５と、物体側に凹面を向けた負メニスカス形状の第６レンズＬ６と、から成っており、第５レンズＬ５と第６レンズＬ６とで正の貼り合わせレンズＧｒＤを構成している。また、第１レンズＬ１の像面側の面と第４レンズＬ４の像面側の面は、非球面で構成されている。
【００１５】
第１，第２の実施の形態のように、物体側から順に、負の前群と、開口絞りと、正の後群とから成る広角レンズにおいて、前群が像面側に凹面を向けた負の第１レンズを最も物体側に含み、その第１レンズの少なくとも１面が非球面であることが好ましい。最も物体側の第１レンズとして像面側に凹面を向けた負レンズを用いることにより、広角に入射した光線の角度を効果的に緩めることができる。したがって、後続レンズ群の収差補正を容易に行うことができ、広角でありながら高性能化を達成することができる。また、歪曲収差はレンズ内の光線角度がきついところで多く発生することが収差論から分かっており、本構成において最も光線角度のきついのが最も物体側に配置されている第１レンズである。したがって、第１レンズとして非球面レンズを用いれば、歪曲収差を最も効果的に小さくすることが可能となる。その結果、大口径で歪曲収差が小さく光学性能の良好な画角１１０度程度の固体撮像素子用広角レンズを実現することが可能となる。そして、そのような広角レンズを監視カメラ等として用いられるデジタル入力機器(デジタルスチルカメラ，デジタルビデオカメラ等)に撮像レンズとして用いれば、当該デジタル入力機器の広角化，高性能化，高機能化，低コスト化及びコンパクト化を達成することができる。このような効果をバランス良く得るとともに、更に高い光学性能等を達成するための条件を以下に説明する。
【００１６】
まず、各実施の形態の広角レンズが満足すべき条件式、つまり各実施の形態のようなタイプの広角レンズにおいて満たすことが望ましい条件式を説明する。ただし、以下に説明する全ての条件式を同時に満たす必要はなく、個々の条件式を光学構成に応じてそれぞれ単独に満足すれば、対応する作用・効果を達成することは可能である。もちろん、複数の条件式を満足する方が、光学性能，小型化，製造・組立等の観点からより望ましいことはいうまでもない。
【００１７】
以下の条件式(1)を満足することが望ましい。
1＜FNO＜2  …(1)
ただし、
FNO：Ｆナンバー、
である。
【００１８】
条件式(1)は、広角レンズの明るさに関する好ましい条件範囲を規定している。条件式(1)の下限を越えると、光学性能の確保が困難になるとともに、光学系の全長が大きくなり、その光軸方向に撮像装置の大型化を招いてしまう。逆に、条件式(1)の上限を越えると、明るさが不足してしまうため、暗い場所での撮像ができなくなる。
【００１９】
以下の条件式(1a)を満足することが更に望ましい。
1.2＜FNO＜1.6  …(1a)
この条件式(1a)は、上記条件式(1)が規定している条件範囲のなかでも、上記観点等に基づいた更に好ましい条件範囲を規定している。
【００２０】
以下の条件式(2)を満足することが望ましい。
100＜2ω  …(2)
ただし、
2ω：全画角(度)、
である。
【００２１】
条件式(2)は、広角レンズの全画角に関する好ましい条件範囲を規定している。条件式(2)の条件範囲を外れると、広い範囲を撮像することができなくなるため、広角レンズとしては適さないものになる。
【００２２】
以下の条件式(2a)を満足することが更に望ましい。
110＜2ω  …(2a)
この条件式(2a)は、上記条件式(2)が規定している条件範囲のなかでも、上記観点等に基づいた更に好ましい条件範囲を規定している。
【００２３】
以下の条件式(3)を満足することが望ましい。
-30＜Dmax  …(3)
ただし、
Dmax：歪曲収差の最大値(％)、
である。
【００２４】
条件式(3)は、歪曲収差の最大値に関する好ましい条件範囲を規定している。条件式(3)の条件範囲を外れると、撮像される画像の歪みが大きすぎて画像認識が困難になる。
【００２５】
以下の条件式(3a)を満足することが更に望ましい。
-25＜Dmax  …(3a)
この条件式(3a)は、上記条件式(3)が規定している条件範囲のなかでも、上記観点等に基づいた更に好ましい条件範囲を規定している。
【００２６】
以下の条件式(4)を満足することが望ましい。
-0.6＜f／f1＜-0.1  …(4)
ただし、
f：全系の焦点距離、
f1：第１レンズの焦点距離、
である。
【００２７】
条件式(4)は、第１レンズのパワー(焦点距離の逆数で定義される量)に関する好ましい条件範囲を規定している。条件式(4)の下限を越えると、歪曲収差が大きくなってしまう。逆に、条件式(4)の上限を越えると、光学系の全長が大きくなり、その光軸方向に撮像装置の大型化を招いてしまう。
【００２８】
以下の条件式(4a)を満足することが更に望ましい。
-0.50＜f／f1＜-0.15  …(4a)
この条件式(4a)は、上記条件式(4)が規定している条件範囲のなかでも、上記観点等に基づいた更に好ましい条件範囲を規定している。
【００２９】
前述したように、第１の実施の形態(図１)では、後群ＧｒＲが、物体側から順に、正の第３レンズＬ３と、正の第４レンズＬ４と負の第５レンズＬ５の貼り合わせレンズＧｒＤと、で構成されている。また、第２の実施の形態(図２)では、後群ＧｒＲが、物体側から順に、正の第４レンズＬ４と、正の第５レンズＬ５と負の第６レンズＬ６の貼り合わせレンズＧｒＤと、で構成されている。各実施の形態のように、後群は、物体側から順に、正レンズと、正レンズと負レンズの貼り合わせレンズと、で構成されることが望ましい。このように構成することにより、固体撮像素子に入射する光線の角度を緩くすることができる。
【００３０】
各実施の形態のように、前群が少なくとも１枚の正レンズを含むことが望ましい。前群に少なくとも１枚の正レンズを含むことにより、負の第１レンズで発生した各収差を補正して全体の収差を小さくすることができる。また、全てのレンズがガラスレンズであることが望ましい。全てのレンズをガラスレンズで構成することにより、温度変化によるバックフォーカスの変動を小さくすることができ、広い温度範囲で性能を維持することができる。
【００３１】
各実施の形態の広角レンズは、入射光線を屈折作用により偏向させる屈折型レンズ(つまり、異なる屈折率を有する媒質同士の界面で偏向が行われるタイプのレンズ)のみで構成されているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、本発明に係る広角レンズでは均質素材レンズを用いることが望ましい。
【００３２】
開口絞りのほかに、不要光をカットするための光束規制板等を必要に応じて配置してもよい。また、プリズム類(例えば直角プリズム)，ミラー類(例えば平面ミラー)等を光路中に配置することにより、その光学的なパワーを有しない面(例えば、反射面，回折面)で広角レンズの前，後又は途中で光路を折り曲げて屈曲光学系{例えば、光軸を９０°又は略９０°折り曲げるようにして光束を反射させる光学系}を構成してもよい。その折り曲げ位置は必要に応じて設定すればよく、光路の適正な折り曲げにより、広角レンズが搭載されるデジタル入力機器(デジタルカメラ等)の見かけ上の薄型化やコンパクト化を達成することが可能である。
【００３３】
各実施の形態の広角レンズは、監視カメラ等として用いられるデジタル入力機器(例えばデジタルビデオカメラ)用の小型撮影光学系としての使用に適しており、これを光学フィルターや撮像素子と組み合わせることにより、被写体の映像を光学的に取り込んで電気的な信号として出力する撮像レンズ装置を構成することができる。撮像レンズ装置は、被写体の静止画撮影や動画撮影に用いられるカメラの主たる構成要素を成すものであり、例えば、物体(被写体)側から順に、物体の光学像を形成する広角レンズと、光学的ローパスフィルター，赤外カットフィルター等の光学フィルターと、広角レンズにより形成された光学像を電気的な信号に変換するＣＣＤ等の撮像素子と、で構成される。
【００３４】
カメラの例としては、デジタルカメラ；ビデオカメラ；監視カメラ；車載カメラ；テレビ電話用カメラ；ドアホーン用カメラ；パーソナルコンピュータ，モバイルコンピュータ，携帯電話，携帯情報端末(ＰＤＡ：Personal Digital Assistant)，これらの周辺機器(マウス，スキャナー，プリンター等)，その他のデジタル機器等に内蔵又は外付けされるカメラが挙げられる。これらの例から分かるように、撮像レンズ装置を用いることによりカメラを構成することができるだけでなく、各種機器に撮像レンズ装置を搭載することによりカメラ機能を付加することが可能である。例えば、カメラ付き携帯電話等の画像入力機能付きデジタル機器を構成することが可能である。また、カメラ機能を実現する際には必要に応じた形態を採用することが可能である。例えば、ユニット化した撮像レンズ装置をカメラボディに対して着脱自在又は回動自在に構成してもよく、ユニット化した撮像レンズ装置を携帯情報機器(携帯電話，ＰＤＡ等)に対して着脱自在又は回動自在に構成してもよい。
【００３５】
撮像素子としては、例えば複数の画素から成るＣＣＤやＣＭＯＳ(Complementary Metal Oxide Semiconductor)センサー等の固体撮像素子が用いられ、広角レンズにより形成された光学像は固体撮像素子により電気的な信号に変換される。広角レンズで形成されるべき光学像は、例えば、固体撮像素子の画素ピッチにより決定される所定の遮断周波数特性を有する光学的ローパスフィルターを通過することにより、電気的な信号に変換される際に発生するいわゆる折り返しノイズが最小化されるように、空間周波数特性が調整される。固体撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。
【００３６】
なお、広角レンズの最終面と固体撮像素子との間に配置される光学的ローパスフィルターは、各実施の形態ではガラスフィルターＧＦで構成されているが、使用されるデジタル入力機器に応じたものであればよい。例えば、所定の結晶軸方向が調整された水晶等を材料とする複屈折型ローパスフィルターや、必要とされる光学的な遮断周波数の特性を回折効果により達成する位相型ローパスフィルター等が適用可能である。
【００３７】
以上の説明から分かるように、上述した各実施の形態や後述する各実施例には以下の構成が含まれている。その構成により、歪曲収差の小さい良好な光学性能を有し、低コスト・コンパクトで画角の広い撮像レンズ装置を実現することができる。そして、これをデジタルカメラ等に適用すれば、当該カメラの高性能化，高機能化，低コスト化及びコンパクト化に寄与することができる。
【００３８】
(U1)  光学像を形成する撮像用の広角レンズと、その広角レンズにより形成された光学像を電気的な信号に変換する撮像素子と、を備えた撮像レンズ装置であって、前記広角レンズが、物体側から順に、負の前群と、開口絞りと、正の後群とから成り、前記前群が像面側に凹面を向けた負の第１レンズを最も物体側に含み、前記第１レンズの少なくとも１面が非球面であり、前記条件式(1),(1a),(2),(2a),(3),(3a),(4),(4a)のうちの少なくとも１つを満足することを特徴とする撮像レンズ装置。
【００３９】
(U2)  後群が、物体側から順に、正レンズと、正レンズと負レンズの貼り合わせレンズと、で構成されることを特徴とする上記(U1)記載の撮像レンズ装置。
【００４０】
(U3)  前記前群が少なくとも１枚の正レンズを含むことを特徴とする上記(U1)又は(U2)記載の撮像レンズ装置。
【００４１】
(U4)  全てのレンズがガラスレンズであることを特徴とする上記(U1),(U2)又は(U3)記載の撮像レンズ装置。
【００４２】
(U5)  前記後群が正レンズを最も物体側に含み、前記正レンズの少なくとも１面が非球面であることを特徴とする上記(U1),(U2),(U3)又は(U4)記載の撮像レンズ装置。
【００４３】
(C1)  上記(U1),(U2),(U3),(U4)又は(U5)記載の撮像レンズ装置を備え、被写体の静止画撮影，動画撮影のうちの少なくとも一方に用いられることを特徴とするカメラ。
【００４４】
(C2)  デジタルカメラ；ビデオカメラ；又はパーソナルコンピュータ，モバイルコンピュータ，携帯電話，携帯情報端末，若しくはこれらの周辺機器に内蔵又は外付けされるカメラであることを特徴とする上記(C1)記載のカメラ。
【００４５】
(D1)  上記(U1),(U2),(U3),(U4)又は(U5)記載の撮像レンズ装置を備えることにより、被写体の静止画撮影，動画撮影のうちの少なくとも一方の機能が付加されたことを特徴とするデジタル機器。
【００４６】
(D2)  パーソナルコンピュータ，モバイルコンピュータ，携帯電話，携帯情報端末，又はこれらの周辺機器であることを特徴とする上記(D1)記載のデジタル機器。
【実施例】
【００４７】
以下、本発明を実施した広角レンズを、コンストラクションデータ等を挙げて更に具体的に説明する。ここで挙げる実施例１，２は、前述した第１，第２の実施の形態にそれぞれ対応する数値実施例であり、第１，第２の実施の形態を表すレンズ構成図(図１，図２)は、対応する実施例１，２のレンズ構成をそれぞれ示している。
【００４８】
各実施例のコンストラクションデータにおいて、ri(i=1,2,3,...)は物体側から数えてi番目の面の曲率半径(mm)、di(i=1,2,3,...)は物体側から数えてi番目の軸上面間隔(mm)を示しており、Ni(i=1,2,...),νi(i=1,2,...)は物体側から数えてi番目の光学要素のｄ線に対する屈折率(Ｎd),アッベ数(νd)を示している。また、fは全系の焦点距離(mm)、FNOはＦナンバーである。表１に、各条件式規定のパラメータに対応するデータを各実施例について示す。
【００４９】
曲率半径riに*印が付された面は、非球面(非球面形状の屈折光学面、非球面と等価な屈折作用を有する面等)であり、非球面の面形状を表す以下の式(AS)で定義される。各実施例の非球面データを他のデータとあわせて示す(ただし、表記の無い係数は０である。)。
X(H)＝(C0・H2)／{1+√(1-ε・C02・H2)}＋Σ(Aj・Hj)  …(AS)
ただし、式(AS)中、
X(H)：高さHの位置での光軸ＡＸ方向の変位量(面頂点基準)、
H：光軸ＡＸに対して垂直な方向の高さ、
C0：近軸曲率(=1／ri)、
ε：２次曲面パラメータ、
Aj：j次の非球面係数、
である。
【００５０】
図３，図４は、実施例１，実施例２に対応する収差図であり、図３，図４中、(Ａ)は球面収差図，(Ｂ)は非点収差図，(Ｃ)は歪曲収差図である{FNO:Ｆナンバー，Y':最大像高(mm)}。球面収差図において、実線ｄはｄ線、一点鎖線ｇはｇ線、二点鎖線ｃはｃ線に対する各球面収差量(mm)を表しており、破線ＳＣは正弦条件不満足量(mm)を表している。非点収差図において、破線ＤＭはメリディオナル像面(mm)、実線ＤＳはサジタル像面(mm)をそれぞれ表している。また、歪曲収差図において実線はｄ線に対する歪曲(％)を表している。
【００５１】
《実施例１》
f=3.0,FNO=1.4
[曲率半径]  [軸上面間隔]  [屈折率]   [アッベ数]
r1*=-22.285
d1= 1.074   N1=1.58913  ν1=61.25(L1)
r2*=  4.523
d2= 2.623
r3= -73.210
d3= 1.172   N2=1.84666  ν2=23.78(L2)
r4= -15.674
d4= 4.134
r5=  ∞(ST)
d5= 0.640
r6*=-79.868
d6= 4.785   N3=1.58913  ν3=61.25(L3)
r7*= -4.036
d7= 0.200
r8=  91.177
d8= 3.659   N4=1.73400  ν4=51.05(L4)
r9=  -3.920
d9= 0.700   N5=1.84666  ν5=23.78(L5)
r10=-10.474
d10=1.000
r11= ∞
d11=3.000   N6=1.51680  ν6=64.20(GF)
r12= ∞
【００５２】
[第１面(r1)の非球面データ]
ε= 0.10000×10,A4= 0.17765×10-2,A6=-0.50026×10-4,A8= 0.64629×10-6,A10=-0.32724×10-8
[第２面(r2)の非球面データ]
ε= 0.10000×10,A4=-0.13059×10-3,A6= 0.23234×10-3,A8=-0.14415×10-4,A10=-0.21873×10-7
[第６面(r6)の非球面データ]
ε= 0.10000×10,A4=-0.32264×10-2,A6=-0.43963×10-3,A8= 0.92899×10-4,A10=-0.16907×10-4
[第７面(r7)の非球面データ]
ε= 0.10000×10,A4= 0.15309×10-2,A6=-0.68318×10-4,A8= 0.56773×10-5,A10=-0.54190×10-7
【００５３】
《実施例２》
f=3.0,FNO=1.4
[曲率半径]  [軸上面間隔]  [屈折率]   [アッベ数]
r1=  34.847
d1= 1.300   N1=1.74330  ν1=49.33(L1)
r2*=  8.375
d2= 7.831
r3=  13.964
d3= 1.474   N2=1.84666  ν2=23.78(L2)
r4=  49.593
d4= 1.269   N3=1.48749  ν3=70.44(L3)
r5=   3.052
d5= 3.425
r6=  ∞(ST)
d6= 2.932
r7=  10.051
d7= 5.000   N4=1.58913  ν4=61.25(L4)
r8*= -5.880
d8= 0.200
r9=  13.619
d9= 3.243   N5=1.63854  ν5=55.45(L5)
r10= -5.084
d10=1.305   N6=1.84666  ν6=23.78(L6)
r11=-53.965
d11=1.000
r12= ∞
d12=3.000   N7=1.51680  ν7=64.20(GF)
r13= ∞
【００５４】
[第２面(r2)の非球面データ]
ε= 0.10000×10,A4=-0.11581×10-3,A6=-0.67059×10-5,A8= 0.14360×10-6,A10=-0.17889×10-8
[第８面(r8)の非球面データ]
ε= 0.10000×10,A4= 0.93359×10-3,A6= 0.22164×10-5,A8= 0.74752×10-6,A10=-0.51387×10-8
【００５５】
【表１】
2006243092.tif 000003
【図面の簡単な説明】
【００５６】
【図１】第１の実施の形態(実施例１)のレンズ構成図。
【図２】第２の実施の形態(実施例２)のレンズ構成図。
【図３】実施例１の収差図。
【図４】実施例２の収差図。
【符号の説明】
【００５７】
ＧｒＦ    前群
ＳＴ    開口絞り
ＧｒＲ    後群
Ｌ１〜Ｌ６    第１〜第６レンズ
ＧｒＤ    貼り合わせレンズ
ＧＦ    ガラスフィルター
ＡＸ    光軸
【図１】
2006243092.tif 000004
【図２】
2006243092.tif 000005
【図３】
2006243092.tif 000006
【図４】
2006243092.tif 000007